(57)【特許請求の範囲】
【請求項１】
インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドは前記インペラの回転方向と逆方向に気流を流すよう傾斜され、更に前記モータの内部と連通させた電動送風機。
【請求項２】
インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドは前記インペラの回転方向と逆方向に拡大するディフューザの形態をして、前記モータの内部に向かって連通している電動送風機。
【請求項３】
インペラと、インペラを回転させるモータと、前記インペラからの気流を案内するエアガイドと、前記インペラ及びエアガイドを収容するファンケースとを備え、前記ファンケースの側面壁には側面孔を設け、前記ファン室の入り口部にはスクロール状の気流通路を設け、前記スクロール状の気流通路の内部に、気流の流れる方向とは逆方向に向いた流入方向を持つ、略円筒状のガイドを設置した電動送風機。
【請求項４】
インペラと、インペラを回転させるモータと、前記インペラからの気流を案内するエアガイドと、前記インペラ及びエアガイドを収容するファンケースとを備え、前記ファンケースの側面壁には側面孔を設け、前記側面孔から出た気流の少なくとも一部を、モータの周囲を略螺旋状に旋回しながら、モータ内部へ導くようにした電動送風機。
【請求項５】
インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドの一部に形状記憶部材により形成されモータ内部と連通する弁を有している電動送風機。
【発明の詳細な説明】
【０００１】
【発明の属する技術分野】
本発明は、濡れた手を乾燥させる手乾燥装置等に用いられる電動送風機に関するものである。
【０００２】
【従来の技術】
従来乾燥装置には様々な電動送風機が用いられているがその中で代表的なものとして図１２に示すような構成の電動送風機がある。ファンケース１は、モータ４のモーターフレーム５に取り付けられ、その内部には、インペラ２，エアガイド３等が設けられている。上記ファンケース１の側面壁には側面孔６が多数開けられており、インペラ２の下方から外周側にかけて設けたエアガイド３には、インペラ２の外周縁から外側に向けて半径方向に拡がる平面部７が設けてある。前記エアガイド３における平面部７の外周方向に、ファンケース１の側面孔６が配され、側面孔６を通して、ファンケース１の内と外が連通している。
【０００３】
上記の構成を採用する理由としては、まず第１に、インペラ２からの吐出気流に対する圧力損失を小さくして送風効率を上げること、第２に、濡れた手の表面に付着している水分を噴流により吹き飛ばした後に、その水分を含んだ気流が、再び電動送風機に戻ってくる、いわゆる還流構成を有する手乾燥装置等にあっては、水分が充電部であるモータ４内部に至らないようにするため、等があげられる。
【０００４】
上記構成に於いて、インペラ２は、モータ４により高速で回転させられて、気流を発生し、その気流をインペラ２の外周に位置するエアガイド３の平面部７を介してケーシング１の側面孔６から排出して、乾燥等に寄与させていた。
【０００５】
【発明が解決しようとする課題】
前記従来の電動送風機では、インペラ２は、その回転に伴い、モータ４内部の温度が上昇するのであるが、インペラ２からの吐出流は、ファンケース１の側面孔６から直接排出され、モータ４内部の冷却には寄与していなかった。よって、連続して、送風させた場合などに、モータ４内部の温度が上昇しすぎる危険性を持っていた。
【０００６】
本発明は、上記課題を解決するもので、モータの冷却性を図った電動送風機を提供することを目的としている。
【０００７】
【課題を解決するための手段】
上記目的を達成するために本発明は、インペラと、前記インペラからの気流を案内するエアガイドを収容するファンケースと、前記ファンケースの側面壁に設けた側面孔を備え、前記エアガイドは前記インペラの回転方向と逆方向に気流を流すよう傾斜され、更に前記モータの内部と連通させたもので、急激な方向転換で水分が分離された気流が、モータ内に流入し巻き線部を冷却するものである。
【０００８】
【発明の実施の形態】
本発明の請求項１記載の発明は、インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドは前記インペラの回転方向と逆方向に気流を流すよう傾斜され、更に前記モータの内部と連通させたもので、インペラからの吐出気流の一部を側面孔から排出するとともに、他の気流は急激な方向転換で水分が分離され、それがモータ内に流入し巻き線部を冷却するものである。
【０００９】
本発明の請求項２記載の発明は、インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドは前記インペラの回転方向と逆方向に拡大するディフューザの形態をして、前記モータの内部に向かって連通しているもので、インペラからの吐出気流の一部を側面孔から排出するとともに、他の気流は拡大しているディフュザーガイドを通してモータ内部へと導く形態をして、そのガイドの方向が逆を向いていることにより、気流の流れ方向の急変更により水分が分離された後、モータ内部に流入し、モーター内部を冷却することが出来る。
【００１１】
本発明の請求項３記載の発明は、インペラと、インペラを回転させるモータと、前記インペラからの気流を案内するエアガイドと、前記インペラ及びエアガイドを収容するファンケースとを備え、前記ファンケースの側面壁には側面孔を設け、前記ファンケースの入り口部には、スクロール状の気流通路を設けたことにより、入り口部より空気が吸い込まれる直前に遠心力を受け、その空気に含まれた水分が分離され、水分の少ない空気を入り口部より流入させることが出来る。
【００１２】
また、ファンケースの入り口部に設けたスクロール状の気流通路の内部に、気流の流れる方向とは逆方向に向いた流入方向を持つ略円筒状のガイドを設置したことにより、入り口部より気流が吸い込まれる直前に、気流に遠心力が働くと共に、流れ方向が急激に変更され、それにより気流内の水分が分離され、水分の少ない空気を入り口部より流入させることが出来る。
【００１３】
本発明の請求項４記載の発明は、インペラと、インペラを回転させるモータと、前記インペラからの気流を案内するエアガイドと、前記インペラ及びエアガイドを収容するファンケースとを備え、前記ファンケースの側面壁には側面孔を設け、前記側面孔から出た気流の少なくとも一部を、モータの周囲を略螺旋状に旋回させながらモータ内部へ導くようにしたもので、気流がモータの周囲を旋回する間に、気流中の水分が分離され、水分の少ない空気をモータ内に送り巻き線部を冷却することが出来る。
【００１４】
本発明の請求項５記載の発明は、インペラと、インペラを回転させるモータと、前記インペラからの気流を案内するエアガイドと、前記インペラ及びエアガイドを収容するファンケースとを備え、前記ファンケースの側面壁には側面孔を設け、前記エアガイドの一部に形状記憶部材により形成されモータ内部と連通する弁を備えたもので、モータの温度が上昇した時のみ、上記弁が連通部を開口して、気流がモータ内に至り、巻き線部を冷却する事ができる。
【００１５】
【実施例】
（実施例１）
以下、本発明の第１の実施例を図１、図２を用いて説明する。
【００１６】
図において、８はインペラで、このインペラ８はファンケース９で覆われている。このファンケース９の中央には吸い込み口１０が設けてあり、その側面壁には側面孔１１が複数個設けられている。１２はエアガイドであり、矢印１３で示される、前記インペラ８の回転方向とは逆向きの方向に傾斜しているダウンガイド部１４が設けられ、さらにモータ１５の内部と連通している。
【００１７】
上記構成における本実施例の動作について説明する。インペラ８の回転により風を発生させ、ファンケース９の吸い込み口１０からインペラ８内部を通過して、ファンケース９の側面孔１１を通って殆どの気流が外部へと排出される。この時、気流の一部については、エアガイド１２のダウンガイド部１４を通って、モータ１５の内部へ流れ込むことになる。
【００１８】
この流れは、矢印１６で示すように、インペラ８の回転方向とは逆であるために、気流が急激な方向の転換を受けることになり、この急変で、気流に含まれた水分は分離され、分離された水分はメインの気流に乗って側面孔１１から排出されると共に、水分が除去された一部の気流はモータ１５の内部に流入し、モータ１５内部のコイルなどを冷却することができる。
又、水分が除去された気流でコイルなどを冷却することが出来るので、絶縁劣化がすくなくなり、モータ１５の信頼性を向上させることも出来るものである。
【００１９】
（実施例２）
次に、本発明の第２の実施例を図３及び図４により説明する。上記の実施例と共通の構成部が多くあるので、その部分については、図番を共通して使用し、ここでは、本実施例に特徴のある部分について記載する。
【００２０】
１７は、ディフューザタイプのエアガイドであり、モータ１５内部に連通している。そして、このエアガイド１７は、図３に示す如く、インペラ８の回転方向１３とは逆の方向に拡大するディフューザ壁１８を複数個有している。
【００２１】
以下上記構成における、本実施例の動作について説明する。インペラ８の回転により風を発生させ、ファンケース９の吸い込み口１０からインペラ８内部を通過して、ファンケース９の側面孔１１を通って殆どの気流が外部へと排出される。この時、気流の一部については、エアガイド１７のディフューザ壁１８に沿ってモータ部１５の内部へ流れ込むことになる。この流れは、矢印１９で示すように、インペラ８の回転方向とは逆であるために、気流が急激な方向の転換を受けることになり、この急変で、気流に含まれた水分が分離され、モータ１５の内部には水分が入らないで、絶縁劣化の少ない冷却が可能となる。
【００２２】
（参考例１）
以下、本発明の参考例１を図５により説明する。図において、上記の実施例と共通の構成部が多くあるので、その部分については、図番を共通して使用し、ここでは、本参考例に特徴のある部分について記載する。
【００２３】
２０は、平板部２１を持つエアガイドであり、この平板部２１はファンケース９の側面孔１１に通じている。そして、このエアガイド２０の中心付近には、モータ内部に向かって、中心から、外周に向けて傾斜している連通孔２２を複数個有している。
【００２４】
上記構成における本参考例の動作について説明する。インペラ８の回転により風を発生させ、ファンケース９の吸い込み口１０からインペラ８内部を通過して、ファンケース９の側面孔１１を通って外部へと排出される。この時、エジェクタ効果により、連通孔２２を通して、モータ１５内部から水分の少ない気流が吸いあげられ、その際にモータ内部が冷やされ、温度の上昇を防止することが出来るものである。
【００２５】
（参考例２）
以下本発明の参考例２を図６及び図７により説明する。上記実施例と共通の構成部分については、同一符号を用いて説明を略し、ここでは、本参考例に特徴のある部分についてのみ記載する。
【００２６】
２３は、ファンケース９の入り口１０に取り付けられた、遠心分離ガイドであり、２５は、ドレン機構である。
【００２７】
以下、上記構成に於ける、本参考例の動作に付いて説明する。遠心分離ガイド２３の入り口２４からその内部に流入する湿った気流は、その壁に沿って、矢印２６の様に回転しながらファンケース９の入り口１０へと向かうこととなる。その回転による遠心力で、気流内部の水分は分離され、ドレン機構２５を通して外部へと排出される。そして、入り口１０へは水分が分離された気流のみが入ることになり、これにより、ファンケース９の側面孔１１からは、水分を含まない気流が排出されるので、これを適当な方法でモータ１５内部へと導けばモータ１５内部の冷却が可能となる。
【００２８】
（実施例３）
次に本発明の第３の実施例を、図８、図９により説明する。上記実施例と同一部分については、同一符号を付してその説明を省略し、ここでは、本実施例に特徴のある部分についてのみ記載する。
【００２９】
２７は、遠心分離ガイド２３の内部に設けた、略円筒状のリターンガイドであり、ファンケース９の入り口１０の周囲に取り付けられている。
【００３０】
上記構成に於ける本実施例の動作は以下の通りである。
【００３１】
最初に、湿った空気は遠心分離ガイド２３の入り口２４から流入するが、その空気は、矢印２８で示されるように遠心分離ガイド２３の内壁に沿うように流れ、次にリターンガイド２７に沿って、矢印２８ａに示されるように、流れ方向が変わり、最終的にファンケース９の入り口１０に達する。
【００３２】
このように空気が入り口１０に至る前に働く遠心力と、流れ方向の急変により、空気内の水分が分離され、ドレン機構２５から排出される。そして、入り口１０へは水分が分離された気流のみが入ることになり、ファンケース９の側面孔１１からは、水分を含まない気流が排出されるので、これを適当な方法でモータ１５内部へと導けばモータ１５内部の冷却が可能となる。
【００３３】
（実施例４）
本発明の第４の実施例を図１０により説明する。上記の実施例と同一部分については、同一符号を付して、説明を省略する。
【００３４】
２９は、平板部３０を持つエアガイドであり、この平板部３０はファンケース９の側面孔１１に通じている。そして、この側面孔１１の外側には、側面孔１１を覆うカバー３１と、それに続く気流路３２とが有り、上記気流路３２の下部にはドレン穴３３が設けられ、さらに気流路３２の下流側はモータ１５の内部と連通している。
【００３５】
上記構成における本実施例の動作は以下の通りである。インペラ８の回転により吸い込み力を発生させ、外部から、水分を含んだ風をファンケース９の吸い込み口１０から吸い込み、インペラ８内部を通過して、ファンケース９の側面孔１１を通ってカバー３１内に排出される。そして、気流は、ファンケース９の周囲を回転しつつ気流路３２を通って、モータ１５に至るが、その間、気流の中の水分は、回転時の遠心力で分離され、気流路３２の壁面を伝わってドレン穴３３から排出され、水分を含んでいない気流は、モータ１５内部へ至って、モータ１５内部を冷却する。
【００３６】
（実施例５）
次に、本発明の第５の実施例を図１１により説明する。上記実施例と同一部分については同一符号を付してその説明を省略する。
【００３７】
３４は、エアガイド２０の連通孔２２に設けられ、形状記憶材料により形成された気流制御弁である。
【００３８】
上記構成における本実施例の動作について説明する。
【００３９】
通常、連通孔２２は気流制御弁３４で閉じられているが、モータ１５の温度が上昇し前記気流制御弁３４が熱せられると、気流制御弁３４が形状変形し、連通孔２が開けられ、インペラ８側とモータ１５内部が連通される。
【００４０】
従って、通常、インペラ８の回転によりファンケース９の吸い込み口１０から流入した空気は、ファンケース９の側面孔１１を通って全て外部へと排出される。
【００４１】
そして、何らかの原因により、モータ１５内部の温度が上昇し、その熱が気流制御弁３４に伝わり、連通孔２が開けられ、インペラ８側とモータ１５内部が連通すると、エジェクタ効果により、連通孔２２を通して、モータ１５側から気流が吸い上げられることとなる。そして、この気流により、モータ１５内部を冷却して温度の異常上昇を防止することが出来るものである。
【００４２】
【発明の効果】
上記実施例からも明らかなように、本発明の請求項１記載の発明によれば、インペラからの気流を案内するエアガイドと、前記インペラ及びエアガイドを収容するファンケースとを備え、前記ファンケースの側面壁には側面孔を設け、前記エアガイドは前記インペラの回転方向と逆方向に気流を流すよう傾斜され、更に前記モータの内部と連通させたことにより、インペラからの吐出気流の一部を側面孔から排出するとともに、他の気流は急激な方向転換で水分が分離され、それがモータ内に流入し巻き線部を冷却するものである。
【００４３】
本発明の請求項２記載の発明によれば、インペラからの気流を案内するエアガイドと、前記インペラ及びエアガイドを収容するファンケースとを備え、前記ファンケースの側面壁には側面孔を設け、前記エアガイドは前記インペラの回転方向と逆方向に拡大するディフューザの形態をして、前記モータの内部に向かって連通しているもので、インペラからの吐出気流の一部を側面孔から排出するとともに、他の気流は、拡大しているディフュザーガイドを通してモータ内部へと導く形態をして、それらガイドの方向が逆を向いていることにより、気流の流れ方向の急変更により水分が分離された後、モータ内部に流入し、モーター内部を冷却することが出来る。
【００４５】
本発明の請求項３記載の発明によれば、インペラと、前記インペラからの気流を案内するエアガイドを収容するファンケースとを備え、前記ファンケースの側面壁には側面孔を設け、前記ファンケースの入り口部には、スクロール状の気流通路を設けたことにより、入り口部より空気が吸い込まれる直前に遠心力を受け、その空気に含まれた水分が分離され、水分の少ない空気を入り口部より流入させることが出来る。
【００４６】
また、スクロール状の気流通路の内部に、気流の流れる方向とは逆方向に向いた流入方向を持つ略円筒状のガイドを設置したことにより、入り口部より気流が吸い込まれる直前に、気流に遠心力が働くと共に、流れ方向が急激に変更され、それにより気流内の水分が分離され、水分の少ない空気を入り口部より流入させることが出来る。
【００４７】
本発明の請求項４記載の発明によれば、インペラと、前記インペラからの気流を案内するエアガイドを収容するファンケースとを備え、前記ファンケースの側面壁には側面孔を設け、前記側面孔から出た気流の少なくとも一部を、モータの周囲を略螺旋状に旋回させながら、モータ内部へ導くようにしたことにより、気流がモータの周囲を旋回する間に、気流中の水分が分離され、水分の少ない空気をモータ内に送り巻き線部を冷却することが出来る。
【００４８】
本発明の請求項５記載の発明によれば、インペラと、前記インペラからの気流を案内するエアガイドを収容するファンケースとを備え、前記ファンケースの側面壁には側面孔を設け、前記エアガイドの一部に形状記憶部材により形成されモータ内部と連通する弁を備えたもので、モータの温度が上昇した時のみ、上記弁が連通部を開口して、気流がモータ内に至り、巻き線部を冷却する事ができる。
【図面の簡単な説明】
【図１】  本発明の第１の実施例を示す電動送風機の要部断面図
【図２】  同電動送風機のファン側破断図
【図３】  本発明の第２の実施例を示す電動送風機の要部断面図
【図４】  同電動送風機のファン側破断図
【図５】  本発明の参考例１を示す電動送風機の要部断面図
【図６】  本発明の参考例２を示す電動送風機の要部断面図
【図７】  同電動送風機のファン側破断図
【図８】  本発明の第３の実施例を示す電動送風機の要部断面図
【図９】  同電動送風機のファン側破断図
【図１０】  本発明の第４の実施例を示す電動送風機の要部断面図
【図１１】  本発明の第５の実施例を示す電動送風機の要部断面図
【図１２】  従来の電動送風機の一部破断側面図
【符号の説明】
８  インペラ
９  ファンケース
１１  側面孔
１５  モータ
【図１】
0004419204.tif 000002
【図２】
0004419204.tif 000003
【図３】
0004419204.tif 000004
【図４】
0004419204.tif 000005
【図５】
0004419204.tif 000006
【図６】
0004419204.tif 000007
【図７】
0004419204.tif 000008
【図８】
0004419204.tif 000009
【図９】
0004419204.tif 000010
【図１０】
0004419204.tif 000011
【図１１】
0004419204.tif 000012
【図１２】
0004419204.tif 000013